(57)【要約】【課題】上面側より視認可能な釘打ち可能部に均熱シートを貼りつけた場合でも釘打ちが可能な範囲を確認できる床暖房パネルを提供する。【解決手段】パネル本体の上面の辺縁に沿った部位に、上面側より視認可能な釘打ち可能部１６を設けた床暖房パネル１０において、パネル本体の上面に、釘打ち可能部１６の内側辺に沿って溝部１７ａが形成されている。【選択図】図１
2014152992.tif 000002
【特許請求の範囲】
【請求項１】
パネル本体の上面の辺縁に沿った部位に、上面側より視認可能な釘打ち可能部を設けた床暖房パネルにおいて、
前記パネル本体の上面に、前記釘打ち可能部の内側辺に沿って溝部が形成されていることを特徴とする床暖房パネル。
【請求項２】
請求項１において、
前記パネル本体の上面に、前記釘打ち可能部の外側辺に沿って凹条部が形成されていることを特徴とする床暖房パネル。
【請求項３】
請求項１または２において、
前記パネル本体の上面に、前記釘打ち可能部の長手方向の端部の外側に凹部が形成されていることを特徴とする床暖房パネル。
【発明の詳細な説明】
【技術分野】
【０００１】
本発明は、パネル本体の上面に、仕上げ床材を固定するための釘打ちが可能な範囲が示された床暖房パネルの改良に関する。
【背景技術】
【０００２】
上面側に仕上げ床材が配設される仕上げ床材分離型の床暖房パネルにおいては、その上面の辺縁に沿った部位に、仕上げ床材を固定するために釘を打ってもよいとされる釘打ち可能範囲を示したマーキングが施されている（たとえば、特許文献１参照）。
【先行技術文献】
【特許文献】
【０００３】
【特許文献１】実用新案登録第３０９６９９１号公報
【発明の概要】
【発明が解決しようとする課題】
【０００４】
しかしながら、床暖房パネル間の継ぎ目部分には継ぎ目を塞ぐように、均熱を目的としてアルミテープ等の不透明な均熱テープを貼りつけることがあるため、その場合には釘打ち可能範囲のマーキング表示が均熱テープで隠されて見えなくなるおそれがある。
【０００５】
したがって、そのような場合には釘打ち可能範囲を視認できず、釘打ち可能範囲以外の部分（発熱部や配線部）に誤って釘を打ってしまうおそれがある。特に、コンクリートスラブに床暖房パネルを施工する場合には、熱効率の向上のために均熱テープを用いることがほとんどであるため、釘打ち可能範囲の視認性について改善が望まれていた。
【０００６】
本発明は、このような事情を考慮して提案されたもので、その目的は、上面側より視認可能な釘打ち可能部に均熱シートを貼りつけた場合でも釘打ち可能範囲を確認できる床暖房パネルを提供することにある。
【課題を解決するための手段】
【０００７】
上記目的を達成するために、本発明の床暖房パネルは、パネル本体の上面の辺縁に沿った部位に、上面側より視認可能な釘打ち可能部を設けた床暖房パネルにおいて、パネル本体の上面に、釘打ち可能部の内側辺に沿って溝部が形成されていることを特徴とする。
【０００８】
また、本発明においては、パネル本体の上面に、釘打ち可能部の外側辺に沿って凹条部が形成された構成としてもよい。
【０００９】
さらに、本発明においては、パネル本体の上面に、釘打ち可能部の長手方向の端部の外側に凹部が形成された構成としてもよい。
【発明の効果】
【００１０】
本発明に係る床暖房パネルによれば、上述の構成としているため、上面側より視認可能な釘打ち可能部に均熱シートが貼りつけられた場合でも、溝部によって均熱シートに凹みが形成されるから、均熱シートの上からでも釘打ち可能範囲を視認することができる。その結果、仕上げ床材の誤った釘打ちを防止することができる。
【図面の簡単な説明】
【００１１】
【図１】（ａ）は本発明の実施形態に係る床暖房パネルの概略平面図、（ｂ）は（ａ）のＡ−Ａ線に対応した内部構造を省略した概略拡大断面図、（ｃ）は（ａ）のＢ−Ｂ線に対応した内部構造を省略した概略拡大断面図である。
【図２】（ａ）は床暖房パネルの連設部分を示した概略拡大縦断面図、（ｂ）４枚の床暖房パネルの連設部分を示した概略拡大平面図である。
【図３】（ａ）は床暖房パネルの施工状態を示した概略斜視図、（ｂ）は（ａ）のＣ−Ｃ線概略拡大断面図、（ｃ）は（ａ）のＤ−Ｄ線概略拡大断面図である。
【発明を実施するための形態】
【００１２】
以下に、本発明の実施の形態について、添付図面を参照しながら説明する。
【００１３】
図１に示した床暖房パネル１０はパネル本体を矩形状としたパネル材である。この床暖房パネル１０は、根太またはコンクリートスラブの上に下地合板１を介して設置される。それらの床暖房パネル１０、１０、・・・の上には、仕上げ床材３、３が設置される（図３参照）。
【００１４】
床暖房パネル１０のパネル本体としては、図１（ａ）に示すように長方形状をなしている。床暖房パネル１０としては、たとえば幅寸法を約３００ｍｍ、長手方向の寸法を約６００ｍｍのものが挙げられるが、他の種々の寸法のものであってもよい。たとえば、図３に示すように、１つの施工対象（居室の床面）に対して、幅寸法が同一で長さ寸法の異なる複数の形状の床暖房パネル１０、１０を組み合わせて使用することもできる。
【００１５】
床暖房パネル１０のパネル本体には、図１（ａ）に示すように、長手方向の一端部における幅方向の中間部にコネクタ部１１が内蔵され、コネクタ部１１を除く全体中央部にコネクタ部１１に接続された発熱部１３が内蔵されている。コネクタ部１１の床暖房パネル１０の幅方向の両側には、渡り配線用ケーブルを配設するための配線通路１２、１２が形成され、その配線通路１２、１２は隣設される床暖房パネル１０側へ開口したケーブル出入口１２ａ、１２ａへと通じている。また、コネクタ部１１の上方には着脱自在な蓋１４が取り付けられている。
【００１６】
パネル本体の上面の長手辺縁部には、長手方向の一端から他端までの、配線通路１２に相当する部位を除く部位に帯状、矩形状の釘打ち可能部１６が形成されている。より具体的には、各長手辺縁部に対応して、釘打ち可能長手部１６ａ（以下、長手部１６ａという）と、釘打ち可能分離部１６ｂ（以下、分離部１６ｂという）とが形成されている。
【００１７】
この釘打ち可能部１６は、仕上げ床材３を、床暖房パネル１０およびその下方の下地合板１に釘打ちで固定するための釘打ち可能な範囲を示すものである。釘打ち可能部１６の上面には釘打ち可能範囲であることを視認できるような斜線等のマーキングが施されていてもよいが、本実施形態では後述するように、釘打ち可能部１６の周囲に溝１７、１７が形成され、それによって範囲を識別できるようになっているので、そのようなマーキングは施されていなくてもよい。
【００１８】
この釘打ち可能部１６（長手部１６ａ、分離部１６ｂのそれぞれ）の周囲には、図１（ａ）〜（ｃ）に示すように溝１７、１７が形成されている。すなわち、パネル本体の上面には、長手部１６ａの内側辺に沿って内側に溝部１７ａが形成され、長手部１６ａの外側辺に沿って外側に凹条部１７ｂが形成され、長手部１６ａの長手方向の端部の外側に凹部１７ｃが形成されている。また、分離部１６ｂについては、内側辺に沿って溝部１７ａが形成され、外側辺に沿って凹条部１７ｂが形成され、配線通路１２側に凹部１７ｃが形成されている。なお、凹条部１７ｂおよび凹部１７ｃは、パネル本体の端部（辺縁部）に形成されたものであり、図１（ｂ）、（ｃ）に示すように段部として形成されている。
【００１９】
本実施形態では、この溝１７は、釘打ち可能範囲外とされるが、釘打ち可能範囲内であってもよい。つまり、溝１７は釘打ち可能部１６の一部（外周部）に形成されたものとしてもよい。すなわち、少なくとも溝１７に囲まれた部位が釘打ちできる箇所となるように、溝１７を設ければよい。
【００２０】
このように長手部１６ａは四周を、分離部１６ｂは三辺を、壕のように溝１７、１７によって囲まれている。そのため、釘打ち可能部１６（釘打ち可能範囲）を上面側より視認することができる。
【００２１】
ついで、床暖房パネル１０の施工、および、釘打ち可能部１６とその周囲の溝１７（溝部１７ａ、凹条部１７ｂ、凹部１７ｃ）とによる作用について、図２および図３を参照しながら説明する。
【００２２】
床暖房パネル１０、１０、・・・は、下地合板１などの下地の上に、図３（ａ）に示すように並設される。床暖房パネル１０、１０、・・・は、パネル本体の長手辺縁部の端面同士、短手辺縁部の端面同士が対向密着あるいは実結合するように設置される。床暖房パネル１０、１０、・・・は、下地合板１に対して端部がねじ（不図示）で固定される。
【００２３】
床暖房パネル１０、１０の長手辺縁部間の継ぎ目２５には、熱効率を上げるために、アルミ粘着テープなどの不透明な均熱テープ２０が継ぎ目２５に沿って両パネル本体に跨るように貼りつけられる。また、均熱テープ２０は、長手方向に連設される床暖房パネル１０に対して連続的に貼りつけられる。なお、床暖房パネル１０、１０の短手辺縁部間の継ぎ目２５にも均熱テープ２０を貼り付つけてもよい。
【００２４】
この均熱テープ２０の幅寸法は、本実施形態では、一方のパネル本体の溝部１７ａから他方のパネル本体の溝部１７ａまでの長さ寸法よりも大きい。すなわち、均熱テープ２０を継ぎ目２５を隠すように貼りつけることで、釘打ち可能部１６およびその周囲の溝１７は直接視認されないように隠され得る。
【００２５】
均熱テープ２０は、溝部１７ａ、１７ａの各凹空間、および、パネル本体を隣設することで隣り合って合体した凹条部１７ｂ、１７ｂによる凹空間を隠すように貼りつけられる。そのため、それらの凹空間の上方の均熱テープ２０の対象部位は、貼りつける際に指などで押圧されることで図２（ａ）に示すように凹む。また、釘打ち可能部１６の長手方向の端部側に設けた凹部１７ｃ、１７ｃの上の均熱テープ２０の対象部位も、同様に凹む。なお、図２（ｂ）の平面図には、凹み２１、２１、・・・が形成された部位をクロスハッチングで示した。
【００２６】
こうして、床暖房パネル１０、１０、・・・の隣り合う長手辺縁部同士の継ぎ目２５を塞ぐように貼りつけた均熱テープ２０の上面には、溝１７、・・・に対応した部位に凹み２１、・・・が形成される。なお、図２（ｂ）は、４枚の床暖房パネル１０、１０、・・・の角部同士の連設部分を示した概略拡大平面図である。
【００２７】
このように、均熱テープ２０を貼りつけても、その均熱テープ２０の上面には釘打ち可能部１６の周囲の溝１７に対応した部位に凹み２１が形成されるため、釘打ち可能部１６を直接視認できなくても釘打ち可能範囲を確認することができる。そのため、仕上げ床材３の施工の際に、釘打ち可能範囲以外の発熱部１３や配線部（配線通路１２）への誤った釘打ちを防止することができる。
【００２８】
なお、発熱部１３や配線通路１２への釘打ちを回避するために、隣設された両パネル本体の隣り合う釘打ち可能部１６、１６により合体された釘打ち可能範囲の外側のみを識別できるように、パネル本体には溝部１７ａのみを形成してもよい。ただし、パネル本体の継ぎ目２５に釘打ちがされることを防止するために、凹条部１７ｂおよび凹部１７ｃも形成することが望ましい。
【００２９】
つぎに、釘打ちによる仕上げ床材３の固定の具体的な態様について説明する。
【００３０】
仕上げ床材３、３、・・・は、図３（ａ）に示すように、床暖房パネル１０、１０、・・・に直交する方向に並設される。仕上げ床材３は、貼りつけられた均熱テープ２０に対応した複数の部位（図３（ａ）中の×印）を釘打ちすることで固定される。
【００３１】
より具体的には、仕上げ床材３は、図３（ｂ）、（ｃ）に示すように、雄実部３ａの上面基部などにおいて斜め方向に釘５を打つことで固定される。図３の例では、仕上げ床材３は床暖房パネル１０を挟んで下地合板１に釘止めされるようになっているが、床暖房パネル１０が下地合板１にねじ止めされているので、下地合板１に釘５が届かなくてもよく、床暖房パネル１０のみに対して固定されるようにしてもよい。
【００３２】
上述したように、仕上げ床材３は施工された床暖房パネル１０、１０、・・・の上に載置された際に、均熱テープ２０の上面の凹み２１を視認しながら釘打ち可能部２０を確認することができる。そのため、図３（ｃ）に示したように適切な位置（釘打ち可能範囲）に釘５を打つことができる。
【００３３】
また、均熱シート２０の貼りつけを必要としない場合には、釘打ち可能部１６が溝１７で囲まれた状態でその範囲がわかるように上面に表われるので、釘打ち可能範囲を容易に識別することができる。
【符号の説明】
【００３４】
１０      床暖房パネル（パネル本体）
１６      釘打ち可能部
１７      溝
１７ａ    溝部
１７ｂ    凹条部
１７ｃ    凹部
２０      均熱テープ
５        釘
【図１】
2014152992.tif 000003
【図２】
2014152992.tif 000004
【図３】
2014152992.tif 000005